(57)【要約】      （修正有）【課題】発生した問題の内容を直ぐに把握でき、また不要な警告表示が他の表示の邪魔にならないようにする。【解決手段】何らかの問題が検出されると、ファインダ内のヘルプマークＨＭを点滅させて問題発生を報知し、問題の内容によっては液晶モニタに簡易警告メッセージを表示する。このときヘルプボタンを押すと、液晶モニタに詳細な警告メッセージが文章によって表示される。ヘルプボタンを押さなければ、詳細な警告メッセージは表示されない。【選択図】図６
2008116823.tif 000002
【特許請求の範囲】
【請求項１】
撮影条件を表示する表示装置と、
撮影に関して撮影者に警告すべき問題を検出する検出手段とを備え、
前記検出手段により何らかの問題が検出されると、問題発生を報知するための特定の表示を行い、該特定の表示がなされているときに特定の操作がなされると、発生した問題の内容を文章で表す警告メッセージを前記表示装置に表示することを特徴とするカメラ。
【請求項２】
前記警告メッセージは、前記撮影条件の表示を覆い隠すように表示されることを特徴とする請求項１に記載のカメラ。
【請求項３】
前記問題発生を報知するための特定の表示は、ファインダ内になされることを特徴とする請求項１または２に記載のカメラ。
【請求項４】
前記警告メッセージは、発生した問題に対する対処方法を含むことを特徴とする請求項１〜３のいずれか１項に記載のカメラ。
【請求項５】
前記警告すべき問題は、撮影動作に影響を与えるものと、撮影結果に影響を与えるものとがあり、撮影動作に影響を与える問題の発生が検出されたときは、前記特定の表示と同時に前記表示装置に簡易警告メッセージを表示し、前記所定の操作がなされると、詳細な警告メッセージを前記表示装置に表示することを特徴とする請求項１〜４のいずれか１項に記載のカメラ。
【発明の詳細な説明】
【技術分野】
【０００１】
本発明はカメラに関し、特に撮影に関する問題が発生したときの警告方法に関わるものである。
【背景技術】
【０００２】
ファインダ内にトラブル発生表示素子を設け、トラブルが発生すると、この素子を点灯して撮影者に報知すると同時に、他の表示部にトラブルの内容を表すパターン（絵柄）を表示するカメラが知られている（例えば、特許文献１参照）。
【０００３】
【特許文献１】特開昭６１−２７９８３５号公報
【発明の開示】
【発明が解決しようとする課題】
【０００４】
引用文献１のカメラは、トラブルの内容を絵柄で表示するだけであり、その意味が即座に把握できない。また、トラブルが発生するとトラブルの内容を必ず表示するが、内容を表示する必要のないときは、その表示が他の表示の邪魔になることもある。
【課題を解決するための手段】
【０００５】
本発明に係るカメラは、撮撮影条件を表示する表示装置と、撮影に関して撮影者に警告すべき問題を検出する検出手段とを備え、検出手段により何らかの問題が検出されると、問題発生を報知するための特定の表示を行い、特定の表示がなされているときに特定の操作がなされると、発生した問題の内容を文章で表す警告メッセージを表示装置に表示することを特徴とする。
撮影条件の表示を覆い隠すように警告メッセージを表示するようにしてもよい。
問題発生を報知するための特定の表示をファインダ内で行ってもよい。
警告メッセージは、発生した問題に対する対処方法を含んでいてもよい。
警告すべき問題は、撮影動作に影響を与えるものと、撮影結果に影響を与えるものとがあり、撮影動作に影響を与える問題の発生が検出されたときは、特定の表示と同時に表示装置に簡易警告メッセージを表示し、所定の操作がなされると、詳細な警告メッセージを表示装置に表示するようにしてもよい。
【発明の効果】
【０００６】
本発明によれば、発生した問題の内容を直ぐに把握でき、また不要な警告表示を非表示とすることができる。
【発明を実施するための最良の形態】
【０００７】
図１〜図１０により本発明の一実施の形態を説明する。
図１は本実施形態における一眼レフタイプのデジタルカメラの背面図である。カメラの背面には、大型のカラー液晶モニタ１が設けられ、ここに画像や種々の情報を表示することができる。液晶モニタ１の横には設定ボタン２〜４とヘルプボタン５とが設けられる。ヘルプボタン５は、ヘルプ表示や警告メッセージを表示するときに使用される。
【０００８】
ここで、従来カメラでは、背面の液晶モニタ１の他に上面に液晶パネルを設け、その液晶パネルに設定モードや撮影条件、各種警告などを絵柄で表示（セグメント表示）するのが一般的である。本実施形態のカメラはこの液晶パネルを廃し、そこに表示していた情報を背面の液晶モニタ１に表示することで、カメラの小型化および低コスト化を図っている。
【０００９】
図２は本実施形態のカメラの制御ブロック図である。
ＣＰＵ１１には、ＣＣＤなどの撮像素子１２を駆動する駆動部１３、撮像素子１２の出力に種々の処理を施す撮像信号処理部１４、被写体の輝度を検出する測光装置１５、撮影動作を行うためのシーケンス装置１６、フラッシュ装置１７、ファインダ内表示装置１８を制御する制御部１９、液晶モニタ１を制御する制御部２０、メモリカード２１への画像データの記録／読み取りを制御するコントローラ２２、ＲＡＭ２３、ＲＯＭ２４などが接続されている。また操作部材として、レリーズスイッチ３１、電源スイッチ３２、各種設定ボタン２〜４、ヘルプボタン５などが接続される。
【００１０】
撮影モード時には、撮影レンズ４０の透過光束が撮像素子１２にて光電変換変換され、撮像信号処理部１４による画像処理を経て画像データが生成される。画像データは、コントローラ２２を介してメモリカード２１に記録される。また再生モード時には、メモリカード２１に記録された任意の画像データを読み出し、その画像データに基づく画像を液晶モニタ１に表示することができる。
【００１１】
図３は撮影モード時の表示例を示している。撮影モード時には、液晶モニタ１の画面に撮影条件表示部１ａ〜１ｃを形成し、ここに種々の撮影条件（シャッタ秒時、絞り値、ＩＳＯ感度、測光モード、その他）を表示する。１ｄは簡易メッセージ表示部であり、これについては後述する。
【００１２】
ファインダ内表示装置１８は、図５に示すように、ファインダ内の情報表示部５１に測光モードや電池容量、各種モード、撮影条件等の情報を表示する。情報表示部５１の最も右側のマークはヘルプマークＨＭであり、カメラは、何らかの問題が生じているときにこのマークを点滅させる（図６参照）。ファインダを覗いている撮影者は、ヘルプマークＨＭの点滅によって問題が生じていることを即座に把握でき、その詳細を知るべくヘルプボタン５を押すと、発生している問題の内容が警告メッセージとして液晶モニタ１に表示される。
【００１３】
警告メッセージの具体例を図７に示す。
６種類の警告のうち、「カードフル警告」および「カード未挿入警告」は、撮影動作そのものに影響を与える（画像記録が行えない）ことを報知する警告である。すなわち「カードフル警告」は、現在設定されている画質モードと画像サイズの組み合わせではメモリカード２１の空き容量が足りないが、画質を低下させたり画像サイズを小さくすれば、記録できる可能性があることを報知する。
【００１４】
また「カード未挿入警告」は、メモリカード２１カードを装填せずにシャッタレリーズを行いたいのなら、カスタム設定で「カードなし時レリーズ」を選択すればよいことを報知するとともに、その場合は画像の保存は行えない旨を報知する。なお、「カードなし時レリーズ」が選択されていないと、カードなしの場合はレリーズロックとなる。
【００１５】
上記２つの警告に関しては、簡易警告メッセージが用意されている。簡易警告メッセージは、問題が確認された時点で、つまり上記ヘルプマークＨＭの点滅と同時に液晶モニタ１の簡易メッセージ表示部１ｄ（図３）に表示される。この状態でヘルプボタン５を押すと、図４に示すように詳細メッセージの表示部１ｅが形成され、ここに詳細な警告メッセージが表示される。詳細メッセージを大きく見易く表示する必要性から、詳細メッセージ表示部１ｅは、撮影条件表示部１ａ〜１ｃを覆い隠し、画面のほぼ全体を占めるように表示される。
なお、図３は「カードフル警告」の簡易警告メッセージを示しているが、「カード未挿入警告」の場合は「メモリーカード未挿入」などと表示すればよい。
【００１６】
これによれば、メモリカード２１を装填せずに、あるいは空き容量が少ないカードが装填された状態でカメラの電源をオンすると、直ぐに液晶モニタ１に簡易警告メッセージが表示されるので、撮影者はファインダを覗く前に画像記録ができない旨を知ることができる。この状態でヘルプボタン５を押すことで、対処方法を知ることができる。
【００１７】
上記以外の測光およびフラッシュに関する警告は、撮影動作ではなく撮影結果に悪影響を与える旨を警告するものであり、簡易警告メッセージは用意されていない。したがって、ヘルプボタン５の操作により警告メッセージ（詳細メッセージ）を表示させて初めて内容および対処法を確認できる。
【００１８】
図８は「測光範囲外警告（低輝度）」の表示例を示し、この警告は、測光値が測光可能範囲の低輝度側限界を下回っており、フラッシュを使用しなければ適正な露出が得られないときに出力される。一方、「フラッシュ使用推奨警告」は、測光値は測光可能範囲内であるが、フラッシュを使用しないとシャッタ秒時が長くなって手振れが発生し易いようなときに出力される。
【００１９】
また、「フラッシュバウンス警告」は、バウンス発光が可能な外付けフラッシュを装着している状況で、発光部が正面を向いていないときに出力される。バウンス発光はもともと発光部を正面に向けずに行うものであるが、意図しないバウンス発光が行われるのを回避するためにこの警告メッセージを出力する。
【００２０】
このように本実施形態では、各警告メッセージは単なる絵柄の表示ではなく、文字を用いた文章による表示である。しかも殆どの警告メッセージは、問題の内容説明に止まらず、問題の対処方法にまで及んでいる。したがって、撮影者は即座に問題を把握し、迷うことなく迅速に適切な対応をとることができる。
【００２１】
また、ヘルプマークＨＭが点滅しても、ヘルプボタン５を操作しなければ警告メッセージ（詳細メッセージ）は表示されない。つまり撮影者は、例えばバウンス発光のときのように警告メッセージを見ずとも警告の内容が分かっているときは、警告メッセージの非表示を選択することもできる。これによれば、不要な警告メッセージにより撮影条件の表示が隠されてしまうといった不都合がなくなる。
【００２２】
なお、警告の種別と警告メッセージは図７に限定されるものではない。また、ヘルプマークＨＭが消灯しているときにヘルプボタン５を押すと、通常のヘルプ表示（各機能の説明等）が液晶モニタ１に表示されるようにしてもよい。
【００２３】
上述した警告表示を実現するための制御の一例を図９，図１０に示す。
ＣＰＵ１１は、ステップＳ１で電源スイッチ３２のオンを確認すると、ステップＳ２でフラグＦ１〜Ｆ６をリセットする。これらのフラグは、図７に示すように各警告メッセージと対応している。ステップＳ３ではメモリカード２１にアクセスし、ステップＳ４でメモリカード２１の装填の有無を判定する。メモリカード２１が装填されている場合はステップＳ６に進み、装填されていない場合は、ステップＳ５でフラグＦ２をセットしてステップＳ２１に進む。
【００２４】
ステップＳ６では、メモリカード２１に関する情報を取得し、ステップＳ７で空き容量が十分か否かを判定する。空き容量が十分あればステップＳ９に進み、十分でなければ、つまり現在の画質／サイズ設定における画像データのサイズが、メモリカード２１の空き容量よりも大きいときは、ステップＳ８に進む。ステップＳ８では、フラグＦ２をセットしてステップＳ２１に進む。
【００２５】
ステップＳ９では測光装置１５の出力である測光値を取得し、ステップＳ１０で測光値が高すぎるか否かを判定する。これは、被写体の輝度が露出制御可能範囲の高輝度側限界を超えているか否かの判定であり、否定されるとステップＳ１２に進み、肯定されるとステップＳで１１フラグＦ３をセットしてステップＳ２１に進む。
【００２６】
ステップＳ１２では、測光値が低すぎるか否かを判定する。これは、被写体の輝度が露出制御可能範囲の低輝度側限界を下回っているか否かの判定であり、否定されるとステップＳ１４に進み、肯定されるとステップＳ１３でフラグＦ４をセットしてステップＳ２１に進む。
【００２７】
ステップＳ１４では、フラッシュ撮影の適否を判定する。これは、測光値や感度ゲイン等に基づいて演算されるシャッタ秒時が、所定秒時（例えば、手振れ限界値）よりも長いか否かの判定であり、否定されるとステップＳ２１に進み、肯定されるとステップＳ１５に進む。
【００２８】
ステップＳ１５ではでフラッシュ状態を取得し、ステップＳ１６では内蔵フラッシュがポップアップされているか否かを判定する。ポップアップされていればステップＳ２１に進み、されていなければステップＳ１７で外付けフラッシュが使用可能な状態にあるか否かを判定する。ステップＳ１７が否定された場合、つまり内蔵／外付けのフラッシュがいずれも使用可能な状態にないときは、ステップＳ１８に進み、フラグＦ５をセットしてステップＳ２１に進む。ステップＳ１７が肯定されると、ステップＳ１９で外付けフラッシュの発光部が正面を向いているか否かを判定する。正面を向いていればステップＳ２１に進み、向いていなければ、ステップＳ２０でフラグＦ６をセットしてステップＳ２１に進む。
【００２９】
ステップＳ２１では、フラグの状況を確認し、全てのフラグがリセット状態にあれば、ステップＳ２２でファインダ内のヘルプマークＨＭを消灯してステップＳ３１に進み、いずれかのフラグがセットされている場合は、ステップＳ２３でヘルプマークＨＭを点滅させる。
【００３０】
ステップＳ２４では、フラグＦ１，Ｆ２のいずれかがセットされているか否かを判定する。いずれかがセットされている場合はステップＳ２５に進み、液晶モニタ１上に簡易メッセージ表示部１ｄを形成し、ここにフラグＦ１またはＦ２に応じた簡易警告メッセージを表示する。フラグＦ１，Ｆ２のいずれもリセットされている場合は、ステップＳ２６で簡易警告メッセージの表示を解除する。
【００３１】
ステップＳ２７では、ヘルプボタン５の押圧の有無を判定し、押圧されている場合は、ステップＳ２８で表示すべき警告メッセージ（詳細メッセージ）を選択する。例えば、図７の警告メッセージとフラグＦ１〜Ｆ６とを対応づけたテーブルをＲＯＭ２４に格納しておき、現在セットされているフラグに応じた警告メッセージを選択する。なお、２以上のフラグが同時にセットされることはないので、選択される警告メッセージは１つのみである。
【００３２】
ステップＳ２９では、液晶モニタ１上に詳細メッセージ表示部１ｅを形成し、ここに選択された警告メッセージを表示する。その後、ステップＳ３１に進む。一方、ヘルプボタン５が押圧されていなければ、警告メッセージの表示を解除してステップＳ３１に進む。
【００３３】
なお、このフローでは、ヘルプボタン５を押圧すると警告メッセージが表示され、押圧を解除すると非表示となるようになっているが、例えばヘルプボタン５を１度押すと警告メッセージが表示され、再度押すと非表示になるようにしてもよい。
【００３４】
ステップＳ３１では、カメラ動作の指示（例えば、レリーズスイッチオン）の有無を確認し、指示がなされた場合は、ステップＳ３２でその動作（例えば、撮影）を行ってステップＳ１に戻り、指示が確認されなければそのままステップＳ１に戻る。
【００３５】
なお以上は、ヘルプマークの点滅にて問題発生を報知するようにしたが、ＬＥＤなどの発光素子を点灯あるいは点滅させて報知してもよい。またこの報知はファインダ内に限定されない。さらに、ヘルプボタンの形状や位置も実施形態に限定されない。
【図面の簡単な説明】
【００３６】
【図１】一実施形態におけるデジタルカメラの背面図。
【図２】上記カメラの制御系を示すブロック図。
【図３】液晶モニタにおける撮影条件および簡易警告メッセージの表示例を示す図。
【図４】液晶モニタにおける警告メッセージ（詳細メッセージ）の表示例を示す図。
【図５】ファインダ内表示部を示す図。
【図６】ファインダ内表示部にヘルプマークを点滅させた状態を示す図。
【図７】警告の種別と警告メッセージとの対応を示す図。
【図８】液晶モニタにおける警告メッセージ（詳細メッセージ）の他の表示例を示す図。
【図９】警告表示を実現するための制御手順の一例を示すフローチャート。
【図１０】図９に続くフローチャート。
【符号の説明】
【００３７】
１  液晶モニタ
５  ヘルプボタン
１１  ＣＰＵ
１８  ファインダ内表示装置
ＨＭ  ヘルプマーク
【図１】
2008116823.tif 000003
【図２】
2008116823.tif 000004
【図３】
2008116823.tif 000005
【図４】
2008116823.tif 000006
【図５】
2008116823.tif 000007
【図６】
2008116823.tif 000008
【図７】
2008116823.tif 000009
【図８】
2008116823.tif 000010
【図９】
2008116823.tif 000011
【図１０】
2008116823.tif 000012